(57)【要約】【課題】利用者がシートを取り除く作業中などに、同時に表示の確認や操作などができる画像形成装置を提供する。【解決手段】画像形成装置２００は、表示操作パネル８とボールネジ２０５とを備える。また、画像形成装置２００は、記録紙に画像形成を施す画像形成部を介して、搬送路で記録紙を搬送する。また、画像形成装置２００は、シート詰まり等によって搬送路上で停止した記録紙の停止位置をセンサにより検知する。操作表示パネル８は、筐体表面に摺動自在に設けられ、シートの停止位置に応じた表示を行い、シートの停止位置に応じた操作を受付ける。ボールネジ２０５は、記録紙の停止位置に対応する、筐体表面の位置に操作表示パネル８を移動させる。【選択図】図１
2009014810.tif 000002
【特許請求の範囲】
【請求項１】
シートに画像形成を施す画像形成部を経由して、前記シートを搬送する搬送路と、
前記搬送路上に停止した前記シートの停止位置を検知する位置検知部と、
当該装置の表面に摺動自在に設けられ、前記位置検知部で検知した前記シートの停止位置に応じた表示、および、前記位置検知部で検知した前記シートの停止位置に応じた操作の受付け、のうち少なくとも一方を行うインターフェイス部と、
前記位置検知部で検知した前記シートの停止位置に対応する、当該装置表面の特定位置に前記インターフェイス部を移動させる駆動部と、
を備える画像形成装置。
【請求項２】
シートに画像形成を施す画像形成部を経由し、隣接する複数の筐体内にわたって前記シートを搬送する搬送路と、
前記搬送路上に停止した前記シートの停止位置を検知する位置検知部と、
当該装置の表面に、前記複数の筐体にわたって摺動自在に設けられ、前記位置検知部で検知した前記シートの停止位置に応じた表示、および、前記位置検知部で検知した前記シートの停止位置に応じた操作の受付け、のうち少なくとも一方を行うインターフェイス部と、
前記位置検知部で検知した前記シートの停止位置に対応する、当該装置表面の特定位置に前記インターフェイス部を移動させる駆動部と、
を備える画像形成装置。
【請求項３】
前記駆動部は、前記搬送路におけるシート詰まりが生じた場合に、前記インターフェイス部を初期位置から前記シート詰まりが生じたシートの停止位置の近傍に移動させる請求項１または２に記載の画像形成装置。
【請求項４】
前記駆動部は、前記搬送路におけるシート詰まりが解消した場合に、前記インターフェイス部を前記シート詰まりが生じたシートの停止位置の近傍から前記初期位置に戻す請求項３に記載の画像形成装置。
【請求項５】
前記駆動部は、前記搬送路における複数箇所でシートが停止した場合に、予め定められた優先順位に従って前記インターフェイス部を移動させる請求項１〜４に記載の画像形成装置。
【請求項６】
前記インターフェイス部は、利用者からの操作を受け付ける操作手段と、利用者へ情報を提示する提示手段と、を有する請求項１〜５のいずれかに記載の画像形成装置。
【発明の詳細な説明】
【技術分野】
【０００１】
本発明は、シート詰まり等により搬送路上で停止したシートの停止位置の情報や、操作手順の情報などを出力し、利用者からの入力を受けるインターフェイス部を備える画像形成装置に関する。
【背景技術】
【０００２】
画像形成装置の内部には搬送路が設けられる。搬送路は複数のローラやガイドによって構成される。搬送路では、多重給紙やジャミングなどによってシート詰まり等のトラブルが発生することがある。このようなトラブルが発生した場合、装置全体の動作が停止される。停止後、装置内部に残存するシートは利用者によって取り除かれる。この際、利用者は、装置内部のシートの位置を把握するために、表示操作パネル等に表示される装置内部のシート位置を示すマップを確認することがある。
【０００３】
また、画像形成装置において、装置の小型化のために画像読取部と画像形成部との間の空間に排紙トレイを設けることがある（例えば、特許文献１参照。）。この装置では、排出トレイへの利用者のアクセスを容易化するため、表示操作パネルが可動式に取り付けられることがある。
【特許文献１】特開２００５−２３４２２２号公報
【発明の開示】
【発明が解決しようとする課題】
【０００４】
ところで、画像形成速度の高速化やオプション装備の多様化を実現した大型の画像形成装置が提案されている。このような大型の装置では、給紙ミスなどのトラブルが発生した場合に、シートを取り除く作業位置と表示操作パネルとが離れる傾向がある。作業位置と表示操作パネルとが離れていれば、利用者は作業中に表示操作パネルの確認および操作ができなかった。
【０００５】
本発明の目的は、利用者がシートを取り除く作業中などに、同時に表示の確認や操作などができる画像形成装置を提供することにある。
【課題を解決するための手段】
【０００６】
本発明の画像形成装置は、搬送路と位置検知部とインターフェイス部と駆動部とを備える。搬送路は、シートに画像形成を施す画像形成部を経由し、シートを搬送する。位置検知部は、搬送路上に停止したシートの停止位置を検知する。インターフェイス部は、当該装置表面に摺動自在に設けられ、位置検知部で検知したシートの停止位置に応じた表示や、位置検知部で検知したシートの停止位置に応じた操作の受付けを行う。駆動部は、位置検知部で検知したシートの停止位置に対応する、当該装置表面の特定位置にインターフェイス部を移動させる。
【０００７】
以上の構成を備えるため、シート詰まりなどによって搬送路上でシートが停止した場合に、インターフェイス部がシートの停止位置に対応する筐体表面の特定位置に移動し、その場所で、インターフェイス部の利用が可能になる。したがって例えば、利用者はインターフェイス部の移動先に誘導され、シートの停止位置に応じた情報を確認しつつ、シートの停止位置に応じた操作を行って、シート詰まりの解消など特定の作業を行うことが可能になる。
【０００８】
画像形成装置は、搬送路と位置検知部とインターフェイス部と駆動部とを備える。搬送路は、シートに画像形成を施す画像形成部を経由し、隣接する複数の筐体内にわたってシートを搬送する。位置検知部は、搬送路上で停止したシートの停止位置を検知する。インターフェイス部は、当該装置の表面に、複数の筐体にわたって摺動自在に設けられ、位置検知部で検知したシートの停止位置に応じた表示や、位置検知部で検知したシートの停止位置に応じた操作の受付けを行う。駆動部は、位置検知部で検知したシートの停止位置に対応する、当該装置表面の特定位置にインターフェイス部を移動させる。
【０００９】
このように搬送路が複数の筐体にわたるような、比較的長距離のもので有る場合には、インターフェイス部での表示と作業とを同時に行えることで、利用者の作業が極めて容易になる。
【００１０】
駆動部は、搬送路におけるシート詰まりが生じた場合に、インターフェイス部を初期位置からシート詰まりが生じた位置の近傍に移動させると好適である。
【００１１】
駆動部は、搬送路におけるシート詰まりが解消した場合に、インターフェイス部をシート詰まりが生じた位置の近傍から初期位置に戻すと好適である。
【００１２】
駆動部は、搬送路における複数箇所でシートが停止した場合に、予め定められた優先順位に従ってインターフェイス部を移動させると好適である。
【００１３】
インターフェイス部は、操作を受け付ける操作手段と、利用者へ情報を提示する提示手段と、を有してもよい。この場合、作業位置で、必要に応じた情報確認と操作入力を行うことが可能となるので、利用者への操作性をさらに向上させることが可能となる。
【発明の効果】
【００１４】
本発明の画像形成装置によれば、シート詰まりなどが生じた場合に、搬送路上で停止したシートの位置に対応する筐体表面の特定位置にインターフェイス部を移動させ、インターフェイス部の移動先に利用者を誘導できる。その場所で、インターフェイス部にシートの停止位置に応じた表示などを行うことで、利用者は、給紙ミスやジャミングなどのトラブルに対する作業を、表示等を確認しながら行えるようになる。
【発明を実施するための最良の形態】
【００１５】
以下、画像形成装置の構成例を説明する。ここで示す画像形成装置は、複写機能、プリンタ機能、及びファクシミリ機能などを備え、カラーおよびモノクロの画像形成を行う。
【００１６】
図１は、画像形成装置２００の内部構成の一部を示す断面図である。
【００１７】
画像形成装置２００は、モノクロプリンタユニット２とバイパスユニット６とカラープリンタユニット１とバイパスユニット５とフィニッシャユニット３とを備える。これらのユニットは、図中に矢印で示す主方向Ｘに沿って順に配置されている。画像形成装置２００は、モノクロプリンタユニット２の上面に、原稿を読み込むスキャナユニット４を備える。
【００１８】
モノクロプリンタユニット２は、モノクロ画像を印刷するためのユニットであり、画像形成装置２００における主方向Ｘの始端側に配置されている。フィニッシャユニット３は、画像形成した複数枚の記録紙を分別したり、製本したりするためのユニットであり、主方向Ｘの終端側に配置されている。カラープリンタユニット１は、カラー画像を印刷するためのユニットであり、モノクロプリンタユニット２とフィニッシャユニット３との間に配置されている。
【００１９】
バイパスユニット５，６は、各ユニット間で記録紙を搬送するためのものである。バイパスユニット６は、モノクロプリンタユニット２とカラープリンタユニット１との間に配置されている。バイパスユニット５は、フィニッシャユニット３とカラープリンタユニット１との間に配置されている。
【００２０】
各ユニットの筐体内部には、複数の搬送路を設けている。各搬送路は、ローラやガイドにより構成されている。また、記録紙が詰まった状態を検知するために、各搬送路のローラにはローラの回転動作を検出する図示しないセンサを設け、各搬送路のローラ間には記録紙の通過を検出する図示しない光学センサを設けている。
【００２１】
カラープリンタユニット１は、筐体内部に、４組の単色画像形成部１０ＢＫ、１０Ｃ、１０Ｍ、１０Ｙ、中間転写部１０、転写定着部３０、トレイ４１〜４４、搬送路５１〜５６を備える。単色画像形成部１０ＢＫ、１０Ｃ、１０Ｍ、１０Ｙと中間転写部１０と転写定着部３０とは、搬送路上を搬送される記録紙に対してカラー画像を形成する。トレイ４１〜４４は、それぞれ特定サイズの記録紙を収容する。搬送路５３は、トレイ４１から給紙される記録紙を搬送路５１まで搬送する。搬送路５４は、トレイ４２〜４４から給紙される記録紙を搬送路５１まで搬送する。搬送路５１は、トレイ４１〜４４から給紙される記録紙を転写定着部３０まで搬送する。搬送路５２は、転写定着部３０で画像が転写された記録紙をバイパスユニット５まで搬送する。搬送路５５，５６は、転写定着部３０で画像が転写された記録紙に両面印刷する際に、記録面を反転させる。
【００２２】
モノクロプリンタユニット２は、筐体内部に、画像形成部６０、定着部６３、トレイ１４１〜１４４、搬送路１５１〜１５６を備えている。画像形成部６０と定着部６３とは、搬送路上を搬送される記録紙に対してモノクロ画像を形成する。トレイ１４１〜１４４は、それぞれ特定サイズの記録紙を収容する。搬送路１５３は、トレイ１４１から給紙される記録紙を搬送路１５１まで搬送する。搬送路１５４は、トレイ１４２〜１４４から給紙される記録紙を搬送路１５１まで搬送する。搬送路１５１は、トレイ１４１〜１４４から給紙される記録紙を定着部６３まで搬送する。搬送路１５２は、定着部６３で画像が転写された記録紙をバイパスユニット６まで搬送する。搬送路１５５，１５６は、定着部６３で画像が転写された記録紙に両面印刷する際に、記録面を反転させる。
【００２３】
バイパスユニット６は、筐体内部に、搬送路７１を備えていて、モノクロプリンタユニット２とバイパスユニット５とを連絡している。搬送路７１は、モノクロプリンタユニット２から給紙された記録紙をバイパスユニット５まで搬送する。
【００２４】
バイパスユニット５は、筐体内部に、搬送路７２〜７５、及び、トレイ５７を備えている。トレイ５７は、モノクロプリンタユニット２でモノクロ画像が形成された記録紙を収容するトレイである。搬送路７５は、バイパスユニット６から給紙された記録紙をトレイ５７まで搬送する。搬送路７２は、バイパスユニット６から給紙された記録紙を搬送路７３まで搬送する。搬送路７５または搬送路７２への記録紙の搬送は選択的に行われる。搬送先の選択は、モノクロプリンタユニット２で行われる。搬送路７３は、搬送路７２から給紙される記録紙を搬送路７４に搬送する。搬送路７４は、搬送路７３またはカラープリンタユニット１から給紙される記録紙をフィニッシャユニット３まで搬送する。
【００２５】
フィニッシャユニット３は、筐体内部に、搬送路８１〜８３、搬送路切替フラッパ８４、フィニッシャー８５、トレイ８６、及び、トレイ８７を備えている。搬送路８１は、バイパスユニット５から給紙される記録紙を搬送する。搬送路切替フラッパ８４は、搬送路８１から給紙される記録紙の搬送先を、搬送路８２または搬送路８３から選択的に決定する。搬送路８３は、搬送路８１から給紙される記録紙をトレイ８７に排紙する。搬送路８２は、搬送路８１から給紙される記録紙をフィニッシャー８５およびトレイ８６に排紙する。フィニッシャー８５は、パンチ孔の穿孔やトレイ８６上の複数枚の記録紙を綴じて製本する際に用いられる。したがって、トレイ８６は、分別された記録紙を収容したり、製本を収容したりする。トレイ８７は分別された記録紙を収容する。
【００２６】
以上のように、画像形成装置２００は複数の搬送路を備えている。各搬送路のローラやガイドでは、それぞれの構成する狭隘部などに複数枚の記録紙が詰まる場合やジャミングが生じる場合がある。そのため、カラープリンタユニット１、モノクロプリンタユニット２、バイパスユニット５，６、およびフィニッシャユニット３の筐体側面や、バイパスユニット５の筐体上面などは、開閉可能に構成する。筐体を開くことにより、各搬送路に詰まった記録紙を容易に除去できるようにする。
【００２７】
図２は、画像形成装置２００の外観斜視図である。画像形成装置２００は、図中手前側の側面にパネル駆動ユニット７と表示操作パネル８とを備える。パネル駆動ユニット７が本発明の駆動部であり、表示操作パネル８が本発明のインターフェイス部である。
【００２８】
パネル駆動ユニット７は、画像形成装置２００における主方向Ｘの始端側から終端側にかけて設けられた長尺な部材である。パネル駆動ユニット７はガイド２０４とボールネジ２０５とボールネジ軸受部２０９と図示しないモータとを備えている。モータはボールネジ２０５を回転させる。ボールネジ２０５にはボールネジ軸受部２０９が螺合していて、ボールネジ２０５の回転により、ボールネジ軸受部２０９が主方向Ｘに沿う方向に移動する。表示操作パネル８は、ガイド２０４を介してボールネジ軸受部２０９に取り付けられている。したがって、表示操作パネル８は、ボールネジ２０５の回転により、ガイド２０４に沿って移動する。
【００２９】
画像形成装置２００の内部の搬送路には、シート詰まりなどによって搬送路上で停止したシートの停止位置を検出するためにセンサを設けている。画像形成装置２００は、シートの停止位置の近傍に表示操作パネル８を移動させ、表示操作パネル８に、シートの停止位置を示すマップと、シート詰まりの解消手順を示すガイダンス等を表示する。したがって、画像形成装置２００の利用者は、表示操作パネル８の表示を確認する位置に誘導され、その場所で表示操作パネル８の表示を確認することで、シート詰まりの解消作業を行える。また、解消作業を行いながら、ガイダンスの表示を変更する操作などを行うことができる。
【００３０】
図３は、画像形成装置２００の機能構成を示す機能ブロック図である。
【００３１】
画像形成装置２００は、ネットワークプリンタ機能を有する。そのため、画像形成装置２００は、プリンタボード９５Ａと、プリンタボード９５Ａに接続された記憶部９５Ｂとを備えている。プリンタボード９５ＡはＬＡＮを介して、画像形成装置２００外部のパソコン（ＰＣ）９６に接続される。プリンタボード９５Ａは、ＬＡＮを介して画像データを受信し、受信した画像データを記憶部９５Ｂに記憶させる。プリンタボード９５Ａは、カラープリンタユニット１の画像管理部９１Ａ及びモノクロプリンタユニット２の画像管理部９２Ａに接続されていて、記憶部９５Ｂに記憶した画像データを、画像管理部９１Ａまたは画像管理部９２Ａに送信し、カラープリンタユニット１またはモノクロプリンタユニット２に印刷させる。
【００３２】
スキャナユニット４は、制御部９４を備えている。制御部９４は図示していないスキャナユニット４の走査部を制御する。また、制御部９４は、カラープリンタユニット１の画像管理部９１Ａとモノクロプリンタユニット２の画像管理部９２Ａとに接続されていて、それらから動作指示を受信し、また、それらにスキャンした画像データを送信する。
【００３３】
フィニッシャユニット３は制御部９３を備えている。制御部９３は、カラープリンタユニット１の制御部９１Ｂとモノクロプリンタユニット２の制御部９２Ｂとに接続されていて、それらから受信する動作指示に従い、前述の搬送路切替フラッパ８４や、自ユニット３の搬送路のローラの回転を制御する。また、自ユニット３の各搬送路でのシートの停止位置を検知し、その停止位置をモノクロプリンタユニット２の制御部９２Ｂに通知する。
【００３４】
カラープリンタユニット１は、画像管理部９１Ａ、制御部９１Ｂ、記憶部９１Ｃ、及びメモリ９１Ｄを備えている。画像管理部９１Ａは、スキャナユニット４の制御部９４に接続されていて、スキャナユニット４に対して動作指示を行う。また、画像管理部９１Ａは、スキャナユニット４で読み取った画像データや、プリンタボード９５Ａで受信した画像データを受け取り、画像データの管理を行う。記憶部９１Ｃはハードディスクドライブで構成され、画像管理部９１Ａの指示に従い画像データを記憶する。
【００３５】
制御部９１Ｂは、自ユニット１全体の制御を司り、様々な処理を管理するための管理情報をメモリ９１Ｄに記憶する。制御部９１Ｂは、メモリ９１Ｄが記憶している管理情報を参照し、自ユニット１における画像形成の制御を行う。制御部９１Ｂは、自ユニット１およびバイパスユニット５における各搬送路のローラの回転を制御し、各搬送路でのシートの停止位置を検知する。そして、その停止位置をモノクロプリンタユニット２の制御部９２Ｂに通知する。
【００３６】
モノクロプリンタユニット２は、画像管理部９２Ａ、制御部９２Ｂ、記憶部９２Ｃ、及びメモリ９２Ｄを備えている。画像管理部９２Ａは、スキャナユニット４の制御部９４に接続されていて、スキャナユニット４に対して動作指示を行う。画像管理部９２Ａは、スキャナユニット４で読み取った画像データや、プリンタボード９５Ａで受信した画像データを受け取り、画像データの管理を行う。記憶部９２Ｃは、ハードディスクドライブで構成され、画像管理部９２Ａの指示に従い画像データを記憶する。
【００３７】
制御部９２Ｂは、自ユニット２全体の制御を司り、様々な処理を管理するための管理情報をメモリ９２Ｄに記憶する。制御部９２Ｂは、メモリ９２Ｄが記憶している管理情報を参照し、自ユニット２における画像形成の制御を行う。制御部９２Ｂは、自ユニット２およびバイパスユニット６における各搬送路のローラの回転を制御し、各搬送路でのシートの停止位置を検知する。制御部９２Ｂは、カラープリンタユニット１やフィニッシャユニット３から、シートの停止位置に関する通知を受ける。
【００３８】
このようにして、モノクロプリンタユニット２の制御部９２Ｂは、画像形成装置２００の搬送路においてシート詰まりなどが生じた場合に、シートの停止位置をセンサを介して把握する。制御部９２Ｂは、その停止位置をパネル駆動ユニット７の操作表示管理部９７Ａと駆動管理部９７Ｂとに通知する。
【００３９】
パネル駆動ユニット７は、操作表示管理部９７Ａと駆動管理部９７Ｂとを備える。操作表示管理部９７Ａは、シートの停止位置を示すマップ、および、シート詰まりの解消手順を示すガイダンス等を生成し、表示操作パネル８に表示させる。駆動管理部９７Ｂは、シートの停止位置近傍に表示操作パネル８を移動させる。
【００４０】
なお、通常時は、表示操作パネル８をモノクロプリンタユニット２側面の初期位置に配置しておき、シート詰まりが生じた場合に、表示操作パネル８を移動させ、シート詰まりが解消した場合には、初期位置に戻すようにすると良い。
【００４１】
また、複数のシートが複数箇所で同時に停止した場合には、故障の危険性やシート焼けの危険性の高い位置のシートから順に、シートの除去作業をさせることが好ましく、その作業の順番に従って、表示操作パネル８を順に移動させるようにすると好適である。定着部や転写部など危険を優先してシートの除去作業の指示を行う。定着部においては、加熱ローラの表面温度が１８０から１９０度に設定されていることから、長時間記録紙が滞留すると発火の恐れがある。また、感光体ドラム、または、転写部では長時間記録紙が接触することで、感光体ドラムや転写体に傷などの悪影響を与えてしまう恐れがあるためである。また、利用者の移動量が最も少なくなるような優先順位で、表示操作パネル８を順に移動させるようにしても好適である。
【００４２】
本構成例ではモノクロプリンタユニット２の制御部９２Ｂに画像形成装置２００全体を統括する機能を付与している。そのため、上記した以外の動作指示は制御部９２Ｂが行うようにする。制御部９２Ｂは、画像形成装置２００が最も効率よく処理できるように、モノクロプリンタユニット２やフィニッシャユニット３に対して各種指示を行う。
【００４３】
また、操作表示管理部９７Ａは、シートの停止位置に関する表示を行うだけでもよい。また、カラープリンタユニット１やモノクロプリンタユニット２に対する動作指示を受け付けてもよい。また、カラープリンタユニット１やモノクロプリンタユニット２それぞれに、利用者からの動作指示を受け付ける操作パネルを設けるようにしてもよい。
【００４４】
図４は、パネル駆動ユニット７の詳細構成を示す断面図である。同図（Ａ）は、主方向Ｘの始端側から見た断面図であり、同図（Ｂ）は、同図（Ａ）におけるＢ−Ｂ断面の矢視図である。同図（Ａ）中に示す矢印は主方向Ｘに垂直な方向Ｙを示す。
【００４５】
パネル駆動ユニット７は、表示操作パネル８とボールネジ２０５とパネル取付部材２０６と配線ケーブル２０７と配線ケーブル固定部材２０８とボールネジ軸受２０９とレール２１０とモータ２１１とベルト２１２とホームポジションセンサ２１３とエンドセンサ２１４と軸受２１５Ａ，２１５Ｂと筐体２１６とを備える。
【００４６】
筐体２１６内には、ボールネジ２０５とモータ２１１とレール２１０とが固定して設けられている。ボールネジ２０５の両端は軸受２１５Ａ，２１５Ｂにより回転自在に支持され、ホームポジションセンサ２１３とエンドセンサ２１４とが設けられている。また、ボールネジ２０５の一端にはベルト２１２が張架されモータ２１１の回転に従動して回転するように構成されている。モータ２１１は前述の駆動管理部９７Ｂによって回転量が制御される。なお、レール２１０は、筐体２１６の主方向Ｘの長さとほぼ同じ長さの長尺な部材である。
【００４７】
ボールネジ２０５には、ボールネジ軸受２０９が螺合する。ボールネジ軸受２０９には、パネル取付部材２０６の後端が取り付けられる。パネル取付部材２０６は、上面側が筐体２１６の摺動部２１６Ａに支持され、下面側がレール２１０の摺動部２１０Ａに支持されている。パネル取付部材２０６の前端側は、ガイド２０４の溝から筐体外に露出する。パネル取付部材２０６の前端には、表示操作パネル８が取り付けられる。したがって、ボールネジ軸受２０９とパネル取付部材２０６と表示操作パネル８とは、主方向Ｘに沿って摺動可能であり、モータ２１１の駆動とボールネジ２０５の回転とにより、ガイド２０４に沿って移動する。
【００４８】
表示操作パネル８は、利用者によって操作される部分であり、液晶表示器と操作キーと液晶表示器上に設置したタッチパネルとを有する。これらには、配線ケーブル２０７が接続される。
【００４９】
以下、配線ケーブル２０７の配線構造の説明のために、配線ケーブル２０７を、配線ケーブル２０７Ａと配線ケーブル２０７Ｂと配線ケーブル２０７Ｃと配線ケーブル２０７Ｄと配線ケーブル２０７Ｅとに分けて説明する。
【００５０】
表示操作パネル８には配線ケーブル２０７Ａの先端が接続される。配線ケーブル２０７Ａはパネル取付部材２０６の上を方向Ｙに沿って配線され、筐体２１６の内部にガイド２０４の溝から挿通される。筐体２１６の内部で、配線ケーブル２０７Ａはパネル取付部材２０６に沿って配線される。
【００５１】
配線ケーブル２０７Ａの後端は、配線ケーブル２０７Ｂの先端に連続する。配線ケーブル２０７Ｂは、パネル取付部材２０６の上段部分を方向Ｙに沿って配線される。配線ケーブル２０７Ｂの後端は、配線ケーブル固定部材２０８によって、主方向Ｘの向きに屈曲して固定される。
【００５２】
配線ケーブル２０７Ｂの後端は、配線ケーブル２０７Ｃの先端に連続する。配線ケーブル２０７Ｃは、パネル取付部材２０６の上段部分を主方向Ｘに沿って配線される。配線ケーブル２０７Ｃの後端は、鉛直下方向に屈曲する。
【００５３】
配線ケーブル２０７Ｃの後端は、配線ケーブル２０７Ｄの先端に連続する。配線ケーブル２０７Ｄは、鉛直下方向に湾曲する。
【００５４】
配線ケーブル２０７Ｄの後端は、配線ケーブル２０７Ｅの先端に連続する。配線ケーブル２０７Eは、レール２１０の上を主方向Ｘの反対方向に沿って配線される。配線ケーブル２０７Ｅの後端は、操作表示管理部９７Ａに接続される。
【００５５】
このように、配線ケーブル２０７は、表示操作パネル８と操作表示管理部９７Ａとを接続する。したがって、表示操作パネル８を可動にしながら、表示を行うことができる。
【００５６】
次に、画像形成装置の他の構成例を説明する。
【００５７】
図５は画像形成装置３００の概念図である。
【００５８】
画像形成装置３００は、画像形成装置本体３０１の上部に、原稿を読み取り、原稿を自動搬送する原稿自動搬送装置（ＡＤＦ）３０２を備えている。また、装置本体３０１の右側には大量の記録紙を載置する大容量の給紙カセット３０２を備えている。また、装置本体３０１の左側には、表紙やページ間に用紙を挿入するためのインサータ３０４を備えている。インサータ３０４の左側には、記録紙を折るための紙折ユニット３０５を備えている。紙折ユニット３０５の左側には、ステープルを行うサドルユニット３０６を備えている。サドルユニット３０６の左側には、記録紙にパンチ孔を開けるためのパンチユニット３０７を備えている。パンチユニット３０７の左側には、排出された用紙を分類するフィンイシャ３０８を備えている。
【００５９】
各ユニットの前面には共通のガイドレールが備えられ、装置全体の左端から右端まで摺動自在に表示操作パネル３１０が設けられている。
【００６０】
装置本体３０１の内部でシート詰まりが発生した際には、シートの停止位置を示す装置の断面図がマップとして表示操作パネル３１０に表示される。また、表示操作パネル３１０はシートの停止位置の近傍に移動する。したがって、どの位置にシート詰まりが発生した場合でも、利用者は表示操作パネル３１０を確認しながらシート詰まりの解消作業をできる。
【００６１】
また、表示操作パネル３１０に操作ガイドを表示するように操作ガイドボタンを利用者が操作することにより、扉の開放、ノブの回転指示、搬送路の開放方法など詳細なガイダンスが表示される。したがって、初心者の利用者であっても、適切にシート詰まりの解消作業を行える。
【００６２】
最後に、上述の構成例の説明は、すべての点で例示であって、制限的なものではないと考えられるべきである。本発明の範囲は、上述の構成例ではなく、特許請求の範囲によって示される。さらに、本発明の範囲には、特許請求の範囲と均等の意味および範囲内でのすべての変更が含まれることが意図される。
【図面の簡単な説明】
【００６３】
【図１】画像形成装置の内部構成の一部を示す断面図である。
【図２】同画像形成装置の斜視図である。
【図３】同画像形成装置の機能ブロック構成を示す断面図である。
【図４】同画像形成装置のパネル駆動ユニットの断面図である。
【図５】画像形成装置の他の構成例を示す図である。
【符号の説明】
【００６４】
１…カラープリンタユニット
２…モノクロプリンタユニット
３…フィニッシャユニット
４…スキャナユニット
５，６…バイパスユニット
７…パネル駆動ユニット
８…表示操作パネル
２００…画像形成装置
２０４…ガイド
２０５…ボールネジ
２０９…ボールネジ軸受
【図１】
2009014810.tif 000003
【図２】
2009014810.tif 000004
【図３】
2009014810.tif 000005
【図４】
2009014810.tif 000006
【図５】
2009014810.tif 000007